(57)【特許請求の範囲】
【請求項１】
入口及び出口を有するハウジングと、
前記ハウジング入口と出口の間に流体を流通させるように連結されている複数の流れ管路であって、実質的に同一の内径と予め規定した異なった流量に対応した異なる長さを有している流れ管路と、
前記ハウジングに取り付けられていて、前記流れ管路を流動する流体流れを選択的に阻止して前記入口から前記出口への流体流れを、阻止されない流れ管路の総合流量に相当する流量に調整するための流量選択機構とを備え、
前記流量選択機構は、
前記ハウジングに固定されているカム従動子板であって、各々が前記流れ管路のいずれか１つに選択的に作用して該流れ管路を圧縮閉塞する流れ阻止位置に出入りする複数の弾性カム従動フィンガ、を有するカム従動子板と、
前記カム従動フィンガの各々に関連づけられていて、複数の予め規定された位置間を移動可能であって、一つを除く全ての複数位置においては前記カム従動フィンガの一つ以上に係合して各係合した前記カム従動フィンガに関連した流れ管路を流れる流体を阻止し、前記一つの位置においては前記いずれのカム従動フィンガにも係合しないように構成された作動機構とよりなり、
前記作動機構はさらに、複数のカム要素を備えた表面を持つカムロータを備え、前記各該カムロータの回転につれて前記複数のカム要素の各々が前記カム従動フィンガの１つを前記流れ管路の流れ阻止位置に移動させるように構成されている、
流量を選択的に調整するための装置。
【請求項２】
前記複数のカム要素は、前記カムロータ上の複数位置に配置されていて前記カムロータが回転するにつれて関連した前記カム従動フィンガに係合するように構成されている請求項１の装置。
【請求項３】
前記カムロータは各自が予め規定されている流体流量に関連づけられた複数の回転位置に回転できる請求項１の装置。
【請求項４】
少なくとも第１、第２及び第３カム従動フィンガを含み、前記カムロータは前記第１カム従動フィンガにのみ係合できる第１カム要素と、第２カム従動フィンガにのみ係合できるように直径方向に対向した一対の第２カム要素と、前記第３カム従動フィンガのみに係合できる複数の第３カム要素とを含む請求項１の装置。
【請求項５】
前記第１カム要素は前記ロータの中心から第１の半径方向距離のところに位置していて約１８０度の角度を張る弧状カム要素であり、前記一対の第２カム要素は前記ロータの中心から第２の半径方向距離のところに位置していて約９０度の角度を張る弧状カム要素であり、前記複数の第３カム要素は前記ロータの中心から第３の半径方向距離のところに位置していて約４５度の角度を張る弧状カム要素であり、前記第１の半径方向距離は前記第３の半径方向距離よりも小さく、前記第２の半径方向距離は前記第１及び第３の半径方向距離の中間である請求項４の装置。
【請求項６】
前記複数の第３カム要素は４つの等間隔に離間した第２弧状カム要素である請求項５の装置。
【請求項７】
一定容積の液体を収容するとともに出口を有し、ポンプにより加圧される加圧液体溜と、前記溜の出口に接続された入口とＩＶ管路に接続された出口を有する流れ調整装置とを備え、
前記流れ調整装置は、前記入口と前記出口の間を接続する流れ管路であって、実質的に同一内径と予め規定された異なった流量に対応した異なる長さを有する複数の流れ管路と、前記流れ導管を流れる流体の流れを選択的に阻止する流量選択機構とを有し、それにより前記阻止をされなかった流れ導管の総合流量に対応した流量を前記入口から出口への流れに与えるようにしており、
前記流量選択機構は、前記ハウジングに固定されているカム従動子板であって、各々が前記流れ管路のいずれか１つに選択的に作用して該流れ管路を圧縮閉塞する流れ阻止位置に出入りする複数の弾性カム従動フィンガ、を有するカム従動子板と、
前記カム従動フィンガの各々に関連づけられていて、複数の予め規定された位置間を移動可能であって、一つを除く全ての複数位置においては前記カム従動フィンガの一つ以上に係合して各係合した前記カム従動フィンガに関連した流れ管路を流れる流体を阻止し、前記一つの位置においては前記いずれのカム従動フィンガにも係合しないように構成された作動機構とを有し、
前記作動機構は、複数のカム要素を備えた表面を持つカムロータを備え、該カムロータの回転につれて前記カム要素の各々が前記カム従動フィンガの１つを前記流れ管路の流れ阻止位置に移動させるように構成された、
治療用液体を患者に選択可能な流量を投与するための装置。
【請求項８】
更に前記液体溜の出口と前記流量調整装置の入口の間に接続された充填弁を有する請求項７の装置。
【請求項９】
前記流量選択機構は、前記流れ導管を（ａ）０本又は（ｂ）１本以上選択的に阻止する請求項７の装置。
【請求項１０】
前記各流れ管路は弾性圧縮できる閉塞管を備え、前記各カム従動フィンガは前記作動機構により関連した前記閉塞管に対して流れを阻止する圧縮状態に移動できる弾性を有する請求項７の装置。
【請求項１１】
前記カム従動フィンガは、前記カム要素による係合を受けたときにその関連した前記閉塞管の一つに対して圧縮係合状態へと押圧されるように構成されている請求項７の装置。
【請求項１２】
前記流れ調整装置はさらに前記流れ管路及び前記カム従動フィンガを含むハウジングを有し、前記ハウジングは装置入口を有する一端と装置出口を有する一端とを有し、前記作動機構は更に前記ハウジングに回転自在に取り付けられたカムロータと、前記カムロータが回転するにつれて関連したカム従動フィンガに係合することができるように前記カムロータ上の位置に配置された前記各カム要素とを備えている請求項７の装置。
【請求項１３】
前記カムロータは各々が一つの所定の流量に関連づけてある複数の回転位置の間を回転可能である請求項７の装置。
【請求項１４】
前記カム従動子板は少なくとも第１、第２及び第３カム従動フィンガを備え、前記カムロータは、前記カムロータは前記第１カム従動フィンガにのみ係合できる第１カム要素と、第２カム従動フィンガにのみ係合できる直径方向に対向した一対の第２カム要素と、前記第３カム従動フィンガのみに係合できる複数の第３カム要素とを含む請求項７の装置。
【請求項１５】
前記第１カム要素は前記ロータの中心から第１の半径方向距離のところに位置していて約１８０度の角度を張る弧状カム要素であり、前記一対の第２カム要素は前記ロータの中心から第２の半径方向距離のところに位置していて約９０度の角度を張る弧状カム要素であり、前記複数の第３カム要素は前記ロータの中心から第３の半径方向距離のところに位置していて約４５度の角度を張る弧状カム要素であり、前記第１の半径方向距離は前記第３の半径方向距離よりも小さく、前記第２の半径方向距離は前記第１の半径方向距離と前記第３の半径方向距離の中間にある請求項１４の装置。
【請求項１６】
前記複数の第３カム要素は４つの等距離間隔で離間した第３カム要素を有する請求項１５の装置。
【請求項１７】
入口と出口を有するハウジングと、
前記ハウジング内に配置した前記入口及び出口に接続する少なくとも第１、第２及び第３流れ管路とを有し、前記各流れ管路は流れ制御管と弾性圧縮可能な閉塞管とを有し、前記流れ制御管は実質的に同一の内径と第１の予め規定された流量に対応する第１の長さを有し、前記第２流れ管路は第２の予め規定された流量に対応する第２の長さを有し、前記第３流れ管路は第３の予め規定された流量に対応する第３の長さを有し、
前記ハウジングに取り付けられたカム従動子板であって、前記各閉塞管に関連していて関連した閉塞管の流れを阻止する圧縮位置に移動できる複数の弾性流れ阻止要素を備えたものと、
前記ハウジングに取り付けられた作動機構であって、（ａ）前記流れ阻止要素の１つ以上に係合して関連した閉塞管の流れを阻害する圧縮状態へと選択的に移動させるとともに、（ｂ）前記流れ阻止要素の任意のものから選択的に離れる作動機構を有し、
前記作動機構は前記ハウジングに取り付けられた複数のカム要素を備えたカムロータを含み、前記各カム要素は前記流れ阻止要素の一つをそれが関連している閉塞管に対する流れ阻止圧縮状態へと移動させるように配置されている、加圧流体源からの液体の流れを調整するための装置。
【請求項１８】
前記カムロータは前記各カム要素を、前記各流れ阻止要素と係合可能で且つ複数の予め規定された複数の位置に移動可能であり、一つの位置以外の前記複数の位置において前記流れ阻止要素の一つ以上に係合して係合された前記各流れ阻止要素に関連した前記閉塞管の流れを阻止し、前記一つの位置においていずれの前記流れ阻止要素にも係合しないように構成されている請求項１７の装置。
【請求項１９】
前記各弾性流れ阻止要素はカム従動フィンガを有し、該カム従動フィンガは、前記カムによる係合を受けたときに前記閉塞管の一つに圧縮係合をするように配置されている請求項１７の装置。
【請求項２０】
前記ハウジングにはカムロータが回転自在に取り付けられ、前記カムロータ上の、前記カムロータの回転につれて関連したカム従動フィンガに係合できる位置にはカム要素が配置されている請求項１７の装置。
【請求項２１】
前記カムロータは予め規定された流量に対応した複数の回転位置間で回転可能である請求項２０の装置。
【請求項２２】
前記弾性流れ阻止要素は少なくとも第１、第２及び第３カム従動フィンガを備え、前記カムロータは、前記カムロータは前記第１カム従動フィンガにのみ係合できる第１カム要素と、第２カム従動フィンガにのみ係合できる直径方向に対向した一対の第２カム要素と、前記第３カム従動フィンガのみに係合できる複数の第３カム要素とを含む請求項１９の装置。
【請求項２３】
前記第１カム要素は前記ロータの中心から第１の半径方向距離のところに位置していて約１８０度の角度を張る弧状カム要素であり、前記一対の第２カム要素は前記ロータの中心から第２の半径方向距離のところに位置していて約９０度の角度を張る弧状カム要素であり、前記複数の第３カム要素は前記ロータの中心から第３の半径方向距離のところに位置していて約４５度の角度を張る弧状カム要素であり、前記第１の半径方向距離は前記第３の半径方向距離よりも小さく、前記第２の半径方向距離は前記第１の半径方向距離と前記第３の半径方向距離の中間にある請求項２２の装置。
【請求項２４】
前記複数の第３カム要素は４つの等距離間隔で離間した第３の弧状カム要素である請求項２３の装置。
【請求項２５】
前記カムロータは前記ハウジングに回転自在に取り付けられ、前記カム要素はロータの所定位置に取り付けられ、各カム要素は前記カムロータが回転するにつれて関連したカム従動フィンガを作動係合するように構成されている、請求項７に記載の装置。
【請求項２６】
前記溜は調整可能な圧力を加えるポンプにより加圧されるように構成されている請求項７に記載の装置。
【発明の詳細な説明】
【技術分野】
【０００１】
本発明は一般に静脈流体の流れを制御する装置に関し、より詳しくは連続静脈注入に対する複数個の飛び飛びの（離散的な）流量の任意の一つを選択することを可能にする装置に関する。
【０００２】
医学分野では、治療又は医療用の流体が静脈（ＩＶ）注入装置を使用して患者に投与されることが多い。注入装置では液体は典型的には患者の上方に懸けてある貯留容器（袋又は瓶）に収容され、重力によりチューブを通して患者の血管に刺してあるＩＶ針に供給される。別法として、液体は注入ポンプにより容器から供給される。
【０００３】
或る場合には、患者に供給される液体の流量を制御することが必要となる。これは特に液体が長時間にわたり患者に連続して投与される場合にそうである。流量は例えば特定の医療処置、薬剤又は治療剤の種類、又は特定の患者の特別な必要性に従って変化しうる。
【０００４】
ＩＶ投与剤の流量を制御するための各種の技術が提案されている。例えば、ＩＶチューブにクランプを設けてチューブの流量を制限する。しかしこの技術は流量の正確な計量と制御を行うことができない。ＩＶ装置を通る流量を制御することを意図した他の装置はＷｉｌｋ氏の米国特許第５３１８５１５号に記載されている。この装置ではハウジングが異なった断面積を有する複数の流れ制御チューブを有し、そしてこれらのチューブは入口管を通して容器から液体を受け取るようになっている。ハウジングには選択機構が設けられていて、１つ以上の流れ制御チューブを選択的に開いて液体をハウジングの出口に送り、そこから出口管を介してＩＶ針に接続する。複数の流れ制御チューブの異なった組み合わせを開くことにより、複数の離散流量の任意のものを選択できる。この方法は見込みがあることが示されているが、安価に製造でき、単純で且つ信頼して使用できる装置においてより正確な精密な流量制御を可能にする改良が求められている。
【特許文献１】米国特許第５３１８５１５号明細書
【発明の開示】
【発明が解決しようとする課題】
【０００５】
従って、ＩＶ装置において、複数の離散的な流量の任意の一つを選択可能で、選択された流量の比較的高度の正確性を有し、選択流量の変更が容易な装置を提供する必要がある。また選択流量が長時間にわたり安定な装置に対する要求がある。さらに、このような装置は容易に且つ安価に製造でき、その結果使い捨て品として経済的に製造できる一方で高度の信頼性を提供する必要がある。
【課題を解決するための手段】
【０００６】
本発明に従って、液体の流量を選択的に制御するための装置は、入口と複数の対応した閉塞管（閉塞可能な管のこと）の一つとの間に接続されている複数の流れ制御管とを含む。
これらの流れ制御管は同一の断面積を有するが長さが異なり、それにより各流れ制御管の流量は長さに反比例する。各閉塞管は対応した流れ制御管と出口の間に接続されている。流れ制御機構が設けられており、この制御機構は各々が対応した閉塞管に作用する複数の流れ阻止要素を備えている。作動機構が対応した流れ阻止要素と移動させることにより一以上の閉塞管を通過する流れを遮断する。
従って、装置を流れる流量はどの流れ制御管が対応する閉塞管を通る出口に連通されるかに依存する。このように流れ制御管は予め選択されている数個の離散的な流量のうちの任意のものを実現するように選択できる。
【０００７】
以下の詳細な説明から分かるように、本発明は、安価に製造でき、そのため使い捨てが可能な装置において、選択可能な流量の精密な制御を達成する。更に、本発明による装置は構造が単純で使用に信頼性が高い。加えて流れ制御管の断面積を変えることにより、異なった流量範囲が達成でき、それにより装置の融通性が増す。
【発明を実施するための最良の形態】
【０００８】
図１は本発明に従って流れ調装置１１０が使用できる注入装置１００を例示する。
注入装置１００は例えば図示のように袋であり得る流体容器又は貯留袋１０２を有する。貯留袋１０２は所定量の治療液（例えば薬液）で予め満たされており、貯留袋１０２に制御された正圧を印加できるポンプ（図示せず）により好都合に加圧される公知の構造を有する。貯留袋１０２は適当な長さに切断されている複数の可撓性管部片から構成されている上流ＩＶ流路１１２により調整装置１１０の入口に接続されている。第１管部片１１２aは貯留袋１０２の出口を通常の充填弁１０４の入口に接続する。充填弁１０４は必要に応じて治療剤の追加量（貯留袋１０２に充填されているもの以外のものであり得る）を患者に投与することを可能にする。第２管部片１１２ｂは充填弁１０４出口を、空気又は粒状汚染物を液体から除去するために使用される通常のフィルタ１０８の入口に接続する。クランプ１０６を充填弁１０４とフィルタ１０８の間の第２管部片１１２ｂ上に設けて貯留袋１０２からの流れを選択的に遮断するために使用できる。第３管部片１１２ｃがフィルタ１０８の出口を調整装置１１０の入口に接続している。
【０００９】
下流側ＩＶ管路１１４が調整装置１１０の出口に接続され、そして雄ルアー（Luer）継ぎ手１１６に終端している。ルアー継ぎ手１１６は雌ルアー継ぎ手（図示せず）と嵌合することによりＩＶカテーテルその他の装置（図示せず）に固着できる形式の継ぎ手であり、これにより液体を患者の血管系へ導入することを可能にする。不使用時には端蓋１１８を雄ルアー継ぎ手に被せて漏洩を防ぐことができる。
【００１０】
調整装置１１０は貯留袋１０２から患者に投与される液体の流量を調節するために使用される。或る場合には、調整装置１１０の権限のない又は監督されない流量調整を防ぐことが望まれよう。従って、任意に安全カバー１２０及び／又は除去可能なキー１２２を調整装置１１０に設けることができる。錠止可能ないたずら防止紐（図示せず）を安全カバー１２０付きの流量調整装置１１０の周りに設けてさらなるいたずら防止をしても良い。
【００１１】
以下に詳細に説明するように、流れ調整装置１１０は医師、ヘルスケア提供者、または患者自身が貯留袋１０２の内容物の患者への流量を調整することができる。装置１１０は下記のように個々の流量に対応した異なった位置へ選択的に移動できる作動機構を含む。作動機構は一つ以上の阻止要素の運動を、同一内径で異なった長さの１つ以上の流量制御管を通る流れを選択的に阻害することにより、装置１１０を通した流量の増減を選択した増分で行わせる。こうして、ゼロから特定の上限までの離散的な一組の流量が装置１１０により提供できる。上限の流量は例えば投与すべき治療剤に対する見込まれる最大投与量に基づいて選択できる。
【００１２】
図２は流れ調整装置１１０の主要な構成要素を例示する。詳しく述べると、装置は上側ハウジング半部２０２と下側ハウジング半部２０４を有する。下側ハウジング半部２０４には周辺溝２０８を備えたカムロータ２０６と、複数の流れ阻止部材を備えたカム従動板２１０とを含む流れ制御機構が取り付けられている。流れ阻止部材は好ましい実施形態では３個の弾性カム従動フィンガ２１２ａ、２１２ｂ、２１２ｃからなる。複数の戻り止め隆起部２１４がカム従動板２１０の中央開口２１６から放射状に延びている。流れ制御機構の動作は以下に説明する。
【００１３】
図３及び図４は下側ハウジング半部２０４に装着されて複数の選択可能な流体流路を形成する流れ制御管組立体３００を例示する。各流路は流れ調整装置１１０が介在している上流側ＩＶ管路１１２と下流側ＩＶ管路１１４の間で所定の流量を有する。流れ制御管組立体３００は流体を下流側ＩＶ管路１１４の上流端に連通する出口３０２と、出口プレナム室３０３と、複数（好ましくは３個）の流れ制御管接続口３０８を有する出口マニフォルド３０４を有する。第１流れ制御管３１０、第２流れ制御管３１２、及び第３流れ制御管３１４の各下流端は、好ましくは溶剤溶接により流れ制御管接続口３０８の各一つに結合されている。流れ制御管３１０、３１２及び３１４は好ましくは可撓性の押出成形塩化ビニルより製作する。
【００１４】
特定の流量範囲に対して使用される流れ制御管３１０、３１２、３１４の内径はほぼ同一である。例えば、内径約０．０７６〜０．０１０ｍｍの内径を有する環が使用できるが、所望する流量範囲に依存してそれよりも大きい又は小さい内径を有するものも使用できる。特定の圧力に対する流量範囲は管の内径に正比例する。流れ制御管３１０、３１２、３１４は長さが異なり、同一内径の管に対して及び特定の流体圧力に対しては、流れ制御管３１０、３１２、３１４の各々を流れる流量は長さに反比例する。例えば一例を挙げると長さは５１ｍｍ、１０２ｍｍ、及び２０３ｍｍである。
【００１５】
流れ制御管３１０、３１２、３１４の上流端は対応した閉塞管３１６、３１８、３２０の下流端にそれぞれ連通している。これらの結合は好ましくは成形された塩化ビニル製結合部材３２２への溶剤溶接により行う。閉塞管３１６、３１８、３２０は柔軟で可撓性のプラスチック材料、好ましくは低ショア高度の塩化ビニル樹脂から製作され、それにより弾性的に圧縮できる。こうして、第１流れ制御管３１０はとそれに関連した閉塞管３１６は第１の管路を形成し、第２流れ制御管３１２とそれに関連した閉塞管３１８は第３の管路を形成し、そして第３流れ制御管３１４とそれに関連した閉塞管３２０は第３の管路を形成する。閉塞管３１６、３１８、３２０は各々入口マニフォルド３２６の３つの閉塞管接続口３２４の各一つに好ましくは溶剤溶接により結合されている。入口マニフォルド３２６は上流側ＩＶ管路１１２の下流端に接続されている。
【００１６】
図９、１０は入口マニフォルド３２６の詳細を示す。閉塞管接続口２３４は入口プレナム体３２８の内側に超音波溶接などで固着された蓋３２７から入口プレナム体３２８の内部へ延びて入口プレナム室３３０を形成している。入口３０６は入口プレナム体３２８の外側から上流側へ延びている。
【００１７】
図２と図６に示したように、下側ハウジング半部２０４と上側ハウジング半部２０２は互いに締着されて装置の内部要素を収容した一つのハウジングを形成するように構成されている。締着は接着剤による結合や超音波溶接などの適当な手段により行うことができる別法として、上側ハウジング半部２０２を着脱できることが望まれる場合には、上側ハウジング半部２０２はスナップ締着機構（図示せず）のような手段により下側ハウジング半部２０４に締着しても良い。
上側ハウジング半部２０２はカムロータ２０６に対する操作が可能なように寸法付けした開口２１８を備えている。
ハウジング半部２０２、２０４が互いに締着されて構成されたハウジングは、入口３０６と出口３０２がそれぞれ貫通する開口を有する上流端及び下流端を含む。図２に示したように、上側ハウジング半部２０２は上流端２０５を備え、上流端には任意的に安全カバー１２０を固定するための凹入部２０７を設けることができる。
【００１８】
図２及び図５を参照するに、下側ハウジング半部２０４は側部支持体２２２により上流部と下流部に分割されている。側部支持体２２２には後で説明する直立した戻り止め係合部材２２４が介在している。３本の垂直スロット２２６が側部支持体２２２に設けておあり、それらはそれぞれ閉塞管３１６、３１８、３２０を受ける。下側ハウジング半部２０４は下流端壁２２８を備えている。一つのヒンジ部材２３０を上記の安全カバー１２０を取り付けるために下流端壁２２８の外側に設けることができる。
【００１９】
スプール４０２が下側ハウジング半部２０４の下流部に配置される。一対の直径を挟んで対向したタブ４０６と中央開口４０８を有するスプールキャップ４０４がスプール４０２の頂部に取り付けられている。流れ制御管３１０、３１２、３１４はスプール４０２の周りに巻き付けられ、そしてスプールキャップ４０４により保持されて、流れ制御管の捩れと伸張を防止している。一対の対向した出口マニフォルド保持タブ４１０が下側ハウジング２０４の下流端壁２２８に近接して設けられ、それにより保持タブ４１０と下流端壁２２８の間に出口マニフォルド３０４を保持するためのスペースを形成している。
【００２０】
下側ハウジング半部２０４の上流部は３本の案内溝４１２を備え、各案内溝は側部支持体２２２に形成したスロット２２６の各一つと整列している。各案内溝は、以下に説明するように、閉塞管３１６、３１８、３２０の一つを流れ制御機構による選択的閉塞のための位置に維持する。下側ハウジング半部２０４の上流部の中央には環状台部４１４が配置され、それに上記のカム従動板２１０が取り付けられている。
【００２１】
下側ハウジング半部２０４は更に上流端壁２３４を有する。任意に開口有する取り付け部２３６を上流端壁２３４に設けて、一旦安全カバー１２０を所定位置に配置した後に取り付け得る留めラップ又はケーブルラップ（図示せず）を固定できるようにしても良い。一対の対向して設けた入口マニフォルド保持タブ４１６を上流端壁２３４に取り付けて、入口マニフォルド３２６をそこに保持させる。
【００２２】
環状台部４１４は外周部に垂直に設けた整列スロット４１８と中央開口または凹所４２０を含む。図２からよく分かるように、カム従動板２１０のの開口２１６は環状台部４１４の外側に嵌合する寸法を有する。キー又はタブ４２２がカム従動板２１０の中央開口２１６の中に延長している。キー又はタブは台部４１４の整列スロット４１８に受けられるような寸法を有することにより、カム従動板２１０の台部４１４に対する適正な周方向の位置決めが確保される。カム従動板２１０が適正に整列されると、カム従動フィンガ２１２ａ、２１２ｂ、２１２ｃが以下に説明するように閉塞管３１６、３１８、３２０に対してそれぞれ係合するように適正に位置決めされる。別法として、この整列は円形でない外周部を有する台部とそれに係合する円形でない開口を有するカム従動板に依っても達成できる。
【００２３】
図６に示したように、環状保持カラー５０２は指示台４１４の中央開口４２０内部に装着される。図７と図８を参照すると、カムロータ２０６は保持カラー５０２に嵌合する底面から垂下した中央保持柱５０４を有する。保持柱５０４はスリットで分割されているので、保持カラー５０２にスナップ嵌めされて摩擦によりカラー５０２に対して所定位置に保持され、その結果カムロータ２０６とカラー５０２は開口４２０内で一緒に回転するが、カムロータ２０６は垂直方向の運動が制限される。
【００２４】
カムロータ２０６の詳しい構造は図６、７、８に示されている。カムロータ２０６は周方向に間隔をもって形成されている複数の垂直な（軸線方向）戻り止め溝２０８を備えた周部縁を有する円盤状の構造を有する。
戻り止め溝２０８は予め選択された流量設定に相当する回転位置を規定しており、それらは戻り止め係合部材２２４が係合することで、所望の流量が選択されるときに明確な「触感」を与える。
カムロータ２０６の下面は、カムロータ２０６の中心の周りに同心円状に並んだ３個の環状帯２４４ａ、２４４ｂ、２４４ｃに設けた弧状の隆起部として形成されている複数のカム要素２４２ａ、２４２ｂ、２４２ｃを具備している。
半径方向最内部の環状帯２４４ａは約１８０℃の円弧を張る単一のカム要素２４２ａを含んでいる。中間の帯２４４ｂは各々が約９０℃の円弧を張る一対の直径を挟んで対置する弧状のカム要素２４２ｂを有する。半径方向最外部の帯２４４ｃは各々が約４５℃の円弧を張る等間隔で円周方向に配置された弧状カム要素２４２ｃを含んでいる。
カムロータ２０６の中心から各帯２４４ａ、２４４ｂ、２４４ｃまでの半径方向の距離は、カムロータ２０６の中心からカム従動フィンガ２１２ａ、２１２ｂ、２１２ｃの対応するものの距離に対応している。
従って、カムロータ２０６が回転すると、最内部のカム要素２４２ａはカム従動フィンガ２１２ａを押圧してそれを押し下げる。同様に、関連した各要素が係合するとき、中間のカム要素２４２ｂはカム従動フィンガ２１２ｂを押圧し、最外部の中間のカム要素２４２ｃはカム従動フィンガ２１２ｃを押圧する。
カム従動フィンガがそれらに関連したカム要素により押し下げられると、カム従動フィンガはそれらに関連した閉塞管を圧縮して閉塞し、それにより閉塞された閉塞管とそれらに関連した流れ制御管とを含む流路の流れを遮断する。
カム要素が関連したカム従動フィンガから離間すると、カム従動フィンガはそれに関連している閉塞管への圧縮係合状態から離れて弾力により元の位置に復元することが可能となり、それにより関連した流れ制御管からの流れに対して閉塞管を開放し、こうして当該閉塞管とそれに関連している流れ制御管を含む流路を開放する。
【００２５】
例示の実施例では、カムロータ２０６は８個の戻り止め溝２０８を有しており、これらは上記の異なった長さ（従って異なった流量）の３本の流れ制御管３１０、３１２、３１４が提供することができる８つの予め規定された流量に対応する。
３本管式装置に対する選択可能な予め規定されている流量を例示する表は図１１に示してある。従ってこの具体例の場合に、最短の流れ制御管は４ｍｌ／ｈｒの流量を生じることができ、中間の長さの流れ制御管は２ｍｌ／ｈｒの流量を生じることができ、そして細長の流れ制御管は１ｍｌ／ｈｒの流量を与えることが出来る。
ゼロ流量はカムロータ２０６を状態１の位置に回転することにより得られ、その場合どの閉塞管も関連したカム従動フィンガの押圧により閉塞されている。カムロータ２０６の状態２の位置では、２つの長い方の流れ制御管に関連した閉塞管がそれらに関連したカム要素によるカム従動フィンガの押圧により閉塞される。得られる調整装置を流れる流量は１ｍｌ／ｈｒである。
同様にして装置を流れる全流量２ｍｌ／ｈｒから７ｍｌ／ｈｒは、カムロータ２０６をそれぞれ位置又は状態３から７まで移動させることにより得られる。状態８ではどの閉塞管もカム要素と関連したカム従動フィンガによっても閉鎖されないので、流量は７ｍｌ／ｈｒとなる。
【００２６】
装置の流量範囲は数種のパラメータにより決定される。具体的には流れ制御管の長さと内径、流れ制御管の上流側に印加される圧力である。もしもより大きい数の離散的な流量が望まれるなら、３個以上の流れ制御管とそれらに関連した閉塞管を設け、それに見合った数のカム要素とカム従動フィンガを設ける。
【００２７】
カムロータ２０６を含む作動機構が下側ハウジング半部２０４に組み込まれた後に、上側ハウジング半部２０２が接着又は超音波溶接によるなどして下側ハウジング半部２０４に固定される。
図６からよく分かるように、カムロータ２０６の上面は上側ハウジング半部２０２の開口２１８を通して延びている。カムロータ２０６の上面には有利には上記のキー１２２を受けるような位置と寸法を有する一個以上のキースロット２５０を設け、それによりキー１２２を適正にスロット２５０に挿入したときだけカムロータ２０６が異なった位置に回転できるようにする。
カムロータ２０６の上面には適当な標識を設けることにより、カムロータ２０６の数個の回転位置への回転により選択できる離散的すなわち飛び飛びの流量を表示する。流量標識は、例えば環状転写紙２５２によるか、又はカムロータ２０６の表面に直接標識することにより行うことができる。上側ハウジング２０２の上面は有利には第２の転写紙２５４により矢印等でマークし、それにより選択される流量を表示してもよい。
【００２８】
以上により本発明の好ましい実施例を説明したが、上記の実施例は例示に過ぎず、多数の変形例、修正例が当業者には可能である。これらの変形例や修正例はの幾つかを上に説明した。他の例にはカム要素やカム従動フィンガの数、配置及び構成、戻り止め機構、その他１本以上の流れ制御管の流れを選択的に阻止する代替機構等の使用等の特徴を含みうる。
【図面の簡単な説明】
【００２９】
【図１】本発明による選択的流れ調整装置を備えたＩＶ輸液注入装置の一部破断して示した斜視図である。
【図２】本発明の好ましい実施例による選択的流れ調整装置の分解斜視図である。
【図３】本発明の好ましい実施例で使用する流れ制御管組立体の平面図である。
【図４】図３の流れ制御管組立体の側面図である。
【図５】本発明の好ましい実施例のハウジングの内部を示す斜視図である。
【図６】図５に示したハウジングのカバーを備えた斜視図である。
【図７】好ましい実施例の作動機構の一部として使用されるカムの底面斜視図である。
【図８】好ましい実施例の作動機構の一部として使用される図７のカムの底面図である。
【図９】上流側マニフォルドの分解斜視図である。
【図１０】図９の線１０−１０から見た上流側マニフォルドの断面図である。
【図１１】３本管式装置に対する選択可能な予め定められている流量を例示する表である。
【図１】
0004509785.tif 000002
【図２】
0004509785.tif 000003
【図３】
0004509785.tif 000004
【図４】
0004509785.tif 000005
【図５】
0004509785.tif 000006
【図６】
0004509785.tif 000007
【図７】
0004509785.tif 000008
【図８】
0004509785.tif 000009
【図９】
0004509785.tif 000010
【図１０】
0004509785.tif 000011
【図１１】
0004509785.tif 000012